(57)【要約】【要約】【課題】  持ち手を使用して携帯する場合は、その持ち手を手のひらで把持することができ、また、持ち手を使用せずに携帯する場合は、その持ち手を邪魔にならない状態にすることができて、携帯する場合の利便性が極めて良好なバッグを提供する。【解決手段】  持ち手がバッグ本体に出没可能に取り付けられ、上記持ち手をバッグ本体内へ没入させるための伸縮可能な付勢 部材が備えられ、上記付勢 部材にはゴムを使用したテープ状部材が用いられている。上記付勢 部材は一端を上記持ち手に接続されると共に他端はバッグ本体に固定されている。上記持ち手は上記付勢 部材により付勢されて、上記バッグ本体の前胴部と後胴部にそれぞれ設けられた持ち手格納ポケット部に収納される。【選択図】  図１
0003107750.tif 000002
【実用新案登録請求の範囲】
【請求項１】
持ち手がバッグ本体に出没可能に取り付けられていることを特徴とするバッグ。
【請求項２】
上記持ち手をバッグ本体内へ没入させるための付勢部材が備えられていることを特徴とする請求項１記載のバッグ。
【請求項３】
上記付勢 部材は一端を上記持ち手に接続されると共に他端はバッグ本体に固定され、上記持ち手は上記付勢部材によりバッグ本体内へ引き込まれるように付勢されていることを特徴とする請求項２記載のバッグ。
【請求項４】
上記持ち手は中間部が略Ｕ字状に屈曲して形成され、その屈曲部が上記バッグ本体の一方のマチ部を跨ぐように配置されると共に、上記バッグ本体の前胴部と後胴部の下端部には、それぞれバッグ本体の幅方向に沿って、上記持ち手が出没しうる開口部を有する持ち手格納ポケット部が設けられ、上記屈曲部の両側の持ち手先端部と同所に接続された上記付勢 部材が上記持ち手格納ポケット部に収納され、上記持ち手の一対の後端部には上記開口部よりも径大に形成されたストッパ部が設けられていることを特徴とする請求項３記載のバッグ。
【請求項５】
上記付勢部材として弾性ゴムを使用したテープ状部材が用いられていることを特徴とする請求項２、３、又は４記載のバッグ。
【考案の詳細な説明】
【技術分野】
【０００１】
本考案はバッグに係り、特に、バッグ本体に出没自在な持ち手を備えたバッグに関する。
【背景技術】
【０００２】
従来、携帯の利便性のために持ち手を備えた小型のバッグで、ポーチと称されるバッグが存在する。
【０００３】
上記従来のポーチは、持ち手が常に突出している状態に取り付けられており、携帯する場合は、その持ち手を手のひらで把持することができる。
【０００４】
しかしながら、持ち手を手のひらで把持した状態で携帯する場合は、バッグ本体が吊り下げられた状態になって揺れやすいので、不安定になる。
【０００５】
従って、持ち手を使用しないで、バッグ本体を腕で確実に抱えた状態で携帯する人も多い。その場合、持ち手は却って邪魔になる場合がある。
【０００６】
本出願人は上記の不具合を解消しうるバッグについて調査したが、関連する先行技術文献を見出すことはできなかった。
【考案の開示】
【考案が解決しようとする課題】
【０００７】
本考案の課題は、持ち手を使用して携帯する場合は、その持ち手を手のひらで把持することができ、また、持ち手を使用せずに携帯する場合は、その持ち手を邪魔にならない状態にすることができて、携帯する場合の利便性が極めて良好なバッグを提供することにある。
【課題を解決するための手段】
【０００８】
上記課題を解決するために、請求項１記載の本考案に係るバッグは、持ち手がバッグ本体に出没可能に取り付けられていることを特徴とするものである。
【０００９】
即ち、本考案に係るバッグは、上記持ち手をバッグ本体から突出させることにより、その持ち手を使用して携帯することができ、又、持ち手を使用しない場合は、上記持ち手をバッグ本体内に没入させた状態で携帯することができる。
【００１０】
また、請求項２記載の本考案に係るバッグは、上記持ち手をバッグ本体内へ没入させるための付勢部材が備えられていることを特徴とする。
【００１１】
即ち、本考案に係るバッグは、上記持ち手をバッグ本体内へ没入させる場合は、上記付勢部材の付勢力を利用することができる。
【００１２】
また、請求項３記載の本考案に係るバッグは、上記付勢部材は一端を上記持ち手に接続されると共に他端はバッグ本体に固定され、上記持ち手は上記付勢部材によりバッグ本体内へ引き込まれるように付勢されていることを特徴とする。
【００１３】
即ち、本考案に係るバッグは、上記持ち手が突出した状態でその持ち手から手を離すと、上記付勢部材により付勢されて上記持ち手は自動的にバッグ本体内に没入し、通常はその状態を維持している。
【００１４】
また、請求項４記載の本考案に係るバッグは、上記持ち手は中間部が略Ｕ字状に屈曲して形成され、その屈曲部が上記バッグ本体の一方のマチ部を跨ぐように配置されると共に、上記バッグ本体の前胴部と後胴部の下端部には、それぞれバッグ本体の幅方向に沿って、上記持ち手が出没しうる開口部を有する持ち手格納ポケット部が設けられ、上記屈曲部の両側の持ち手先端部と同所に接続された上記付勢 部材が上記持ち手格納ポケット部に収納され、上記持ち手の一対の後端部には上記開口部よりも径大に形成されたストッパ部が形成されていることを特徴とする。
【００１５】
即ち、本考案に係るバッグは、上記バッグ本体の一方のマチ部を跨ぐように配置された上記持ち手の屈曲部を手のひらで把持することとなる。そして、上記持ち手中間部の略Ｕ字状屈曲部を引っ張ることにより、バッグ本体の一方のマチ部の外方へ持ち手を突出させることができる。
また、上記持ち手屈曲部の両側の持ち手先端部と同所に接続された上記付勢 部材が露呈すると外観の見栄えが悪くなる。そこで、それを防止するために、上記持ち手屈曲部の両側の持ち手先端部と同所に接続された上記付勢 部材を収納して隠蔽するために上記持ち手格納ポケット部が設けられている。
また、上記持ち手格納ポケット部がバッグ本体の構造を制約しないように、上記持ち手格納ポケット部は、上記バッグ本体の前胴部と後胴部の下端部にそれぞれバッグ本体の幅方向に沿って配置されている。
そして、上記持ち手の一対の後端部には上記開口部よりも径大に形成されたストッパ部が形成されていることから、上記持ち手を引き出した場合であっても、上記ストッパ部が上記開口部内方に係止して持ち手を固定し、それ以上の持ち手の引き出しを防止する。
【００１６】
また、請求項５記載の本考案に係るバッグは、上記付勢 部材としてゴムを使用したテープ状部材が用いられていることを特徴とする。
【００１７】
即ち、本考案に係るバッグは、嵩張らず、容易にバッグ本体内に装着可能となるように、扁平で伸縮可能な素材であるゴムを使用したテープ状部材が上記付勢部材として用いられている。
【考案の効果】
【００１８】
請求項１記載の本考案に係るバッグは、持ち手がバッグ本体に出没可能に取り付けられていることから、持ち手を使用する場合は、持ち手をバッグ本体から突出させて、その持ち手を手のひらで確実に把持した状態で携帯することができ、又、持ち手を使用しない場合は、持ち手をバッグ本体内に没入させて、持ち手が邪魔にならない状態で携帯することができるので、携帯する場合の利便性が極めて良好である。
【００１９】
また、請求項２記載の本考案に係るバッグは、上記持ち手をバッグ本体内へ没入させるための伸縮可能な付勢部材が備えられていることから、持ち手を上記付勢部材の力を利用して自動的にバッグ本体内へ没入させることができる。従って、持ち手をバッグ本体内へ没入させるために手で押し入れる等の手動操作が不要で、操作性が極めて良好である。
【００２０】
また、請求項３記載の本考案に係るバッグは、上記付勢 部材は一端を上記持ち手に接続されると共に他端はバッグ本体に固定され、上記持ち手は上記付勢部材によりバッグ本体内へ引き込まれるように付勢されていることから、上記持ち手を使用するためにバッグ本体から突出させることにより上記付勢部材が引っ張られて伸びた状態から、上記付勢部材が縮む場合の復元力を利用して上記持ち手を容易にバッグ本体内へ没入させることができる。
また、上記付勢部材を取り付けるための構造が簡単なので、製造が容易で、コストを低減することができる。
【００２１】
また、請求項４記載の本考案に係るバッグは、上記持ち手は中間部が略Ｕ字状に屈曲し、その屈曲部が上記バッグ本体の一方のマチ部を跨ぐように配置されると共に、上記バッグ本体の前胴部と後胴部の下端部にそれぞれバッグ本体の幅方向に沿って持ち手格納ポケット部が設けられ、上記屈曲部の両側の持ち手先端部と同所に接続された上記付勢部材が上記持ち手格納ポケット部に収納されていることから、上記持ち手の先端部と上記付勢部材が上記持ち手格納ポケット部に収納されて隠蔽されるので、外観の見栄えが極めて良好である。
また、上記持ち手格納ポケット部が上記バッグ本体の前胴部と後胴部の下端部にそれぞれバッグ本体の幅方向に沿って配置されていることから、上記持ち手格納ポケット部を設けることによりバッグ本体の構造が制約を受けることは少ない。
【００２２】
また、請求項５記載の本考案に係るバッグは、上記付勢部材としてゴムを使用したテープ状部材が用いられていることから、その取り付けが縫着等により簡単にでき、バネ等の他の付勢 部材を用いた場合のように取付構造が複雑化することがない。従って、製造コストを低減することができる。
また、上記テープ状部材は平面的であり嵩張らないので、上記バッグ本体の前胴部や後胴部に設けた持ち手格納ポケット部内に配置しても、外側へ大きく膨出することはないため、バッグ本体の外観デザインが損なわれない。
【考案を実施するための最良の形態】
【００２３】
以下、図面に基づき本考案の実施の形態について説明する。
本実施形態に係るバッグ１１は、図１及び図３に示すように、持ち手１２がバッグ本体１３に出没可能に取り付けられている。
そして、図１〜図３に示すように、上記持ち手１２をバッグ本体１３内へ没入させるための伸縮可能な付勢部材１４が備えられている。
また、図１及び図３に示すように、上記付勢 部材１４は一端を上記持ち手１２に接続されると共に他端はバッグ本体１３に固定され、上記持ち手１２は上記付勢 部材１４によりバッグ本体１３内へ引き込まれるように付勢されている。
また、図１〜図３に示すように、上記持ち手１２は中間部が略Ｕ字状に屈曲し、その屈曲部１５が上記バッグ本体１３の一方のマチ部１６を跨ぐように配置されると共に、上記バッグ本体１３の前胴部１７と後胴部１８の下端部にそれぞれバッグ本体１３の幅方向に沿って、上記持ち手が出没しうる開口部２５を有する持ち手格納ポケット部１９が設けられ、上記屈曲部１５の両側の持ち手先端部と同所に接続された上記付勢部材１４が上記持ち手格納ポケット部１９に収納されている。
また、上記持ち手１２の一対の後端部には上記開口部２５よりも径大に形成されたストッパ部２６が形成されている。
また、図１及び図３に示すように、上記付勢 部材１４としてゴムを使用したテープ状部材２０が用いられている。
それぞれバッグ本体の幅方向に沿って、上記持ち手が出没しうる開口部を有する持ち手格納ポケット部が設けられている。
【実施例１】
【００２４】
以下、図示した実施例に基づき本考案を詳細に説明する。
図１は上記持ち手１２がバッグ本体１３から突出した状態を示し、図３は上記持ち手１２がバッグ本体１３内に没入した状態を示している。
【００２５】
本実施例に係るバッグ１１は、図1及び図３に示すように、ポーチと称される携帯に便利な小型のバッグであって、そのバッグ本体１３を抱えて携帯することもできるし、又、手で吊り下げて持ち運べるように持ち手１２も備えている。なお、本考案に係るバッグは本実施例のポーチに限定されるものではない。
【００２６】
上記バッグ本体１３は、図１〜図３に示すように、前胴部１７、後胴部１８、底部２１、上面部２２及び左右のマチ部１６，２３を備えて構成され、合成皮革を素材として形成されている。なお、本考案に係るバッグの素材は、本実施例の合成皮革に限定されるものではない。
【００２７】
また、図１〜図３に示すように、上記バッグ本体１３は、一方のマチ部１６の上半部と、上面部２２と、他方のマチ部２３の上半部に一連のスライドファスナー２４が配置され、開閉可能に形成されている。
【００２８】
上記持ち手１２は、上記バッグ本体１３と同様に合成皮革を素材として、図１及び図３に示すように、細長いベルト状に形成され、バッグ本体１３に出没可能に取り付けられている。
【００２９】
即ち、バッグ本体１３には、図１〜図３に示すように、上記持ち手１２をバッグ本体１３内へ没入可能とするために、上記持ち手格納ポケット部１９が設けられている。
【００３０】
上記持ち手格納ポケット部１９は、図１〜図３に示すように、上記バッグ本体１３の前胴部１７と後胴部１８の下端部にそれぞれバッグ本体１３の幅方向に沿って配置されている。
【００３１】
即ち、上記持ち手格納ポケット部１９は、図１及び図３に示すように、上記バッグ本体１３の前胴部１７と後胴部１８の下端部に、横長袋状に形成され、上記バッグ本体１３における一方のマチ部１６側の一端に、それぞれ開口部２５が形成されている。
【００３２】
上記持ち手１２は、図１及び図３に示すように、上記バッグ本体１３における一方のマチ部１６に対し直交するように幅方向に沿って装備されている。
【００３３】
上記持ち手１２は、図１及び図３に示すように、中間部おいて屈曲形成され全体略Ｕ字状に形成され、その屈曲部１５が上記バッグ本体１３の一方のマチ部１６を跨ぐように配置されている。
【００３４】
上記持ち手１２の屈曲部１５は、図１及び図３に示すように、露呈した状態を維持しているが、上記屈曲部１５の両側の持ち手先端部は上記開口部２５から上記持ち手格納ポケット部１９内に挿入されている。
上記持ち手１２の幅寸法は上記開口部２５の幅寸法と略同一に形成され、持ち手１２の双方の後端部には上記幅寸法及び開口部２５の長さ寸法及び幅寸法よりも径大に形成されたストッパ部２６が設けられ、このストッパ部２６に付勢部材１４がそれぞれ固定されている。
【００３５】
即ち、上記持ち手１２を上記持ち手格納ポケット部１９内に没入させるために、図１〜図３に示すように、上記持ち手格納ポケット部１９内には伸縮可能な付勢部材１４が備えられている。  
【００３６】
上記持ち手１２は、上記付勢部材１４としての上記ゴムを使用したテープ状部材２０により、常時、バッグ本体１３の上記持ち手格納ポケット部１９内へ引き込まれるように付勢されている。
【００３７】
上記付勢部材１４としては、図１及び図３に示すように、伸縮ゴムを使用したテープ状部材２０が用いられている。上記テープ状部材２０は主な素材が布で、その一部にゴム糸が含有されて、全体的に伸縮自在に構成されている。しかしながら、テープ状部材２０の全体をゴムだけで形成することも可能である。
【００３８】
従って、上記持ち手１２を上記付勢部材１４の付勢力に抗して開口部２５から引き出した際には、上記ストッパ部２６が上記開口部２５の内方部位に係合することにより持ち手１２の引き出しが停止し、この状態で引き手１２を開口部２５内方に固定して、固定された持ち手１２として使用できるように構成されている。
その結果、持ち手１２を下記の付勢部材１４の付勢力に抗して引き出しきった場合には、上記持ち手１２が付けられたポーチ１１として、持ち手を手で把持して使用できるものである。
【００３９】
本実施例に係るバッグ１１を、上記持ち手１２を使用して携帯する場合は、上記持ち手１２の中央屈曲部１５を手のひらで把持して上記付勢部材１４の付勢力に抗して、外方へ引っ張ることにより、図１に示すように、バッグ本体１３の一方のマチ部１６の外方へ突出させる。
このとき、上記付勢部材１４としての上記ゴムを使用したテープ状部材２０は伸長することになる。
【００４０】
また、上記持ち手１２を使用せずに携帯する場合は、上記持ち手１２が突出したままの状態では邪魔になるので、その持ち手１２をバッグ本体１３内に没入させる。
【００４１】
そして、上記持ち手１２をバッグ本体１３内に没入させるには、上記持ち手１２から手を離すだけでよい。
【００４２】
上記持ち手１２は上記付勢 部材１４としての上記ゴムを使用したテープ状部材２０により付勢されていることから、即時に、バッグ本体１３の上記持ち手格納ポケット部１９内へ引き込まれて収納される。従って、上記持ち手１２をバッグ本体１３内に没入させる場合は、なんら手動操作を必要としない。
【産業上の利用可能性】
【００４３】
本考案は、持ち手を備えたすべてのバッグに適用可能である。
【図面の簡単な説明】
【００４４】
【図１】持ち手がバッグ本体から突出した状態の一部切断斜視図である。
【図２】図１のＡ−Ａ線における断面図である。
【図３】持ち手がバッグ本体内に没入した状態の一部切断斜視図である。
【符号の説明】
【００４５】
１１  バッグ
１２  持ち手
１３  バッグ本体
１４  付勢 部材
１５  屈曲部
１６  マチ部
１７  前胴部
１８  後胴部
１９  持ち手格納ポケット部
２０  ゴムを使用したテープ状部材
２１  底部
２２  上面部
２３  マチ部
２４  スライドファスナー
２５  開口部
２６  ストッパ部  
【図１】
0003107750.tif 000003
【図２】
0003107750.tif 000004
【図３】
0003107750.tif 000005
【手続補正書】
【提出日】平成16年11月22日(2004.11.22)
【手続補正１】
【補正対象書類名】実用新案登録請求の範囲
【補正対象項目名】全文
【補正方法】変更
【補正の内容】
【実用新案登録請求の範囲】
【請求項１】
持ち手がバッグ本体に出没可能に取り付けられ、
上記持ち手をバッグ本体内へ没入させるための付勢部材が備えられ、
上記付勢部材は一端を上記持ち手に接続されると共に他端はバッグ本体に固定され、
上記持ち手は上記付勢部材によりバッグ本体内へ引き込まれるように付勢され、
上記持ち手は中間部が略Ｕ字状に屈曲して形成され、その屈曲部が上記バッグ本体の一方のマチ部を跨ぐように配置されると共に、上記バッグ本体の前胴部と後胴部の下端部には、それぞれバッグ本体の幅方向に沿って、上記持ち手が出没しうる開口部を有する持ち手格納ポケット部が設けられ、
上記屈曲部の両側の持ち手先端部と同所に接続された上記付勢部材が上記持ち手格納ポケット部に収納され、
上記持ち手の一対の後端部には上記開口部よりも径大に形成されたストッパ部が設けられていることを特徴とするバッグ。
【請求項２】
上記付勢部材として弾性ゴムを使用したテープ状部材が用いられていることを特徴とする請求項１記載のバッグ。
【手続補正２】
【補正対象書類名】明細書
【補正対象項目名】全文
【補正方法】変更
【補正の内容】
【考案の詳細な説明】
【技術分野】
【０００１】
本考案はバッグに係り、特に、バッグ本体に出没自在な持ち手を備えたバッグに関する。
【背景技術】
【０００２】
従来、携帯の利便性のために持ち手を備えた小型のバッグで、ポーチと称されるバッグが存在する。
【０００３】
上記従来のポーチは、持ち手が常に突出している状態に取り付けられており、携帯する場合は、その持ち手を手のひらで把持することができる。
【０００４】
しかしながら、持ち手を手のひらで把持した状態で携帯する場合は、バッグ本体が吊り下げられた状態になって揺れやすいので、不安定になる。
【０００５】
従って、持ち手を使用しないで、バッグ本体を腕で確実に抱えた状態で携帯する人も多い。その場合、持ち手は却って邪魔になる場合がある。
【０００６】
本出願人は上記の不具合を解消しうるバッグについて調査したが、関連する先行技術文献を見出すことはできなかった。
【考案の開示】
【考案が解決しようとする課題】
【０００７】
本考案の課題は、持ち手を使用して携帯する場合は、その持ち手を手のひらで把持することができ、また、持ち手を使用せずに携帯する場合は、その持ち手を邪魔にならない状態にすることができて、携帯する場合の利便性が極めて良好なバッグを提供することにある。
【課題を解決するための手段】
【０００８】
上記課題を解決するために、請求項１記載の本考案に係るバッグは、持ち手がバッグ本体に出没可能に取り付けられ、上記持ち手をバッグ本体内へ没入させるための付勢部材が備えられ、上記付勢部材は一端を上記持ち手に接続されると共に他端はバッグ本体に固定され、上記持ち手は上記付勢部材によりバッグ本体内へ引き込まれるように付勢され、上記持ち手は中間部が略Ｕ字状に屈曲して形成され、その屈曲部が上記バッグ本体の一方のマチ部を跨ぐように配置されると共に、上記バッグ本体の前胴部と後胴部の下端部には、それぞれバッグ本体の幅方向に沿って、上記持ち手が出没しうる開口部を有する持ち手格納ポケット部が設けられ、上記屈曲部の両側の持ち手先端部と同所に接続された上記付勢部材が上記持ち手格納ポケット部に収納され、上記持ち手の一対の後端部には上記開口部よりも径大に形成されたストッパ部が設けられていることを特徴とするものである。
【０００９】
即ち、本考案に係るバッグは、上記持ち手をバッグ本体から突出させることにより、その持ち手を使用して携帯することができ、又、持ち手を使用しない場合は、上記持ち手をバッグ本体内に没入させた状態で携帯することができる。
また、上記持ち手をバッグ本体内へ没入させる場合は、上記付勢部材の付勢力を利用することができる。
また、上記持ち手が突出した状態でその持ち手から手を離すと、上記付勢部材により付勢されて上記持ち手は自動的にバッグ本体内に没入し、通常はその状態を維持している。
また、本考案に係るバッグは、上記バッグ本体の一方のマチ部を跨ぐように配置された上記持ち手の屈曲部を手のひらで把持することとなる。そして、上記持ち手中間部の略Ｕ字状屈曲部を引っ張ることにより、バッグ本体の一方のマチ部の外方へ持ち手を突出させることができる。
また、上記持ち手屈曲部の両側の持ち手先端部と同所に接続された上記付勢部材が露呈すると外観の見栄えが悪くなる。そこで、それを防止するために、上記持ち手屈曲部の両側の持ち手先端部と同所に接続された上記付勢部材を収納して隠蔽するために上記持ち手格納ポケット部が設けられている。
また、上記持ち手格納ポケット部がバッグ本体の構造を制約しないように、上記持ち手格納ポケット部は、上記バッグ本体の前胴部と後胴部の下端部にそれぞれバッグ本体の幅方向に沿って配置されている。
そして、上記持ち手の一対の後端部には上記開口部よりも径大に形成されたストッパ部が形成されていることから、上記持ち手を引き出した場合であっても、上記ストッパ部が上記開口部内方に係止して持ち手を固定し、それ以上の持ち手の引き出しを防止する。
【００１０】
請求項２記載の本考案に係るバッグは、上記付勢部材としてゴムを使用したテープ状部材が用いられていることを特徴とする。
【００１１】
即ち、本考案に係るバッグは、嵩張らず、容易にバッグ本体内に装着可能となるように、扁平で伸縮可能な素材であるゴムを使用したテープ状部材が上記付勢部材として用いられている。
【考案の効果】
【００１２】
請求項１記載の本考案に係るバッグは、持ち手がバッグ本体に出没可能に取り付けられていることから、持ち手を使用する場合は、持ち手をバッグ本体から突出させて、その持ち手を手のひらで確実に把持した状態で携帯することができ、又、持ち手を使用しない場合は、持ち手をバッグ本体内に没入させて、持ち手が邪魔にならない状態で携帯することができるので、携帯する場合の利便性が極めて良好である。
また、上記持ち手をバッグ本体内へ没入させるための伸縮可能な付勢部材が備えられていることから、持ち手を上記付勢部材の力を利用して自動的にバッグ本体内へ没入させることができる。従って、持ち手をバッグ本体内へ没入させるために手で押し入れる等の手動操作が不要で、操作性が極めて良好である。
また、上記付勢部材は一端を上記持ち手に接続されると共に他端はバッグ本体に固定され、上記持ち手は上記付勢部材によりバッグ本体内へ引き込まれるように付勢されていることから、上記持ち手を使用するためにバッグ本体から突出させることにより上記付勢部材が引っ張られて伸びた状態から、上記付勢部材が縮む場合の復元力を利用して上記持ち手を容易にバッグ本体内へ没入させることができる。
また、上記付勢部材を取り付けるための構造が簡単なので、製造が容易で、コストを低減することができる。
また、上記持ち手は中間部が略Ｕ字状に屈曲し、その屈曲部が上記バッグ本体の一方のマチ部を跨ぐように配置されると共に、上記バッグ本体の前胴部と後胴部の下端部にそれぞれバッグ本体の幅方向に沿って持ち手格納ポケット部が設けられ、上記屈曲部の両側の持ち手先端部と同所に接続された上記付勢部材が上記持ち手格納ポケット部に収納されていることから、上記持ち手の先端部と上記付勢部材が上記持ち手格納ポケット部に収納されて隠蔽されるので、外観の見栄えが極めて良好である。
また、上記持ち手格納ポケット部が上記バッグ本体の前胴部と後胴部の下端部にそれぞれバッグ本体の幅方向に沿って配置されていることから、上記持ち手格納ポケット部を設けることによりバッグ本体の構造が制約を受けることは少ない。
【００１３】
請求項２記載の本考案に係るバッグは、上記付勢部材としてゴムを使用したテープ状部材が用いられていることから、その取り付けが縫着等により簡単にでき、バネ等の他の付勢部材を用いた場合のように取付構造が複雑化することがない。従って、製造コストを低減することができる。
また、上記テープ状部材は平面的であり嵩張らないので、上記バッグ本体の前胴部や後胴部に設けた持ち手格納ポケット部内に配置しても、外側へ大きく膨出することはないため、バッグ本体の外観デザインが損なわれない。
【考案を実施するための最良の形態】
【００１４】
以下、図面に基づき本考案の実施の形態について説明する。
本実施形態に係るバッグ１１は、図１及び図３に示すように、持ち手１２がバッグ本体１３に出没可能に取り付けられている。
そして、図１〜図３に示すように、上記持ち手１２をバッグ本体１３内へ没入させるための伸縮可能な付勢部材１４が備えられている。
また、図１及び図３に示すように、上記付勢部材１４は一端を上記持ち手１２に接続されると共に他端はバッグ本体１３に固定され、上記持ち手１２は上記付勢部材１４によりバッグ本体１３内へ引き込まれるように付勢されている。
また、図１〜図３に示すように、上記持ち手１２は中間部が略Ｕ字状に屈曲し、その屈曲部１５が上記バッグ本体１３の一方のマチ部１６を跨ぐように配置されると共に、上記バッグ本体１３の前胴部１７と後胴部１８の下端部にそれぞれバッグ本体１３の幅方向に沿って、上記持ち手が出没しうる開口部２５を有する持ち手格納ポケット部１９が設けられ、上記屈曲部１５の両側の持ち手先端部と同所に接続された上記付勢部材１４が上記持ち手格納ポケット部１９に収納されている。
また、上記持ち手１２の一対の後端部には上記開口部２５よりも径大に形成されたストッパ部２６が形成されている。
また、図１及び図３に示すように、上記付勢部材１４としてゴムを使用したテープ状部材２０が用いられている。
それぞれバッグ本体の幅方向に沿って、上記持ち手が出没しうる開口部を有する持ち手格納ポケット部が設けられている。
【実施例１】
【００１５】
以下、図示した実施例に基づき本考案を詳細に説明する。
図１は上記持ち手１２がバッグ本体１３から突出した状態を示し、図３は上記持ち手１２がバッグ本体１３内に没入した状態を示している。
【００１６】
本実施例に係るバッグ１１は、図1及び図３に示すように、ポーチと称される携帯に便利な小型のバッグであって、そのバッグ本体１３を抱えて携帯することもできるし、又、手で吊り下げて持ち運べるように持ち手１２も備えている。なお、本考案に係るバッグは本実施例のポーチに限定されるものではない。
【００１７】
上記バッグ本体１３は、図１〜図３に示すように、前胴部１７、後胴部１８、底部２１、上面部２２及び左右のマチ部１６，２３を備えて構成され、合成皮革を素材として形成されている。なお、本考案に係るバッグの素材は、本実施例の合成皮革に限定されるものではない。
【００１８】
また、図１〜図３に示すように、上記バッグ本体１３は、一方のマチ部１６の上半部と、上面部２２と、他方のマチ部２３の上半部に一連のスライドファスナー２４が配置され、開閉可能に形成されている。
【００１９】
上記持ち手１２は、上記バッグ本体１３と同様に合成皮革を素材として、図１及び図３に示すように、細長いベルト状に形成され、バッグ本体１３に出没可能に取り付けられている。
【００２０】
即ち、バッグ本体１３には、図１〜図３に示すように、上記持ち手１２をバッグ本体１３内へ没入可能とするために、上記持ち手格納ポケット部１９が設けられている。
【００２１】
上記持ち手格納ポケット部１９は、図１〜図３に示すように、上記バッグ本体１３の前胴部１７と後胴部１８の下端部にそれぞれバッグ本体１３の幅方向に沿って配置されている。
【００２２】
即ち、上記持ち手格納ポケット部１９は、図１及び図３に示すように、上記バッグ本体１３の前胴部１７と後胴部１８の下端部に、横長袋状に形成され、上記バッグ本体１３における一方のマチ部１６側の一端に、それぞれ開口部２５が形成されている。
【００２３】
上記持ち手１２は、図１及び図３に示すように、上記バッグ本体１３における一方のマチ部１６に対し直交するように幅方向に沿って装備されている。
【００２４】
上記持ち手１２は、図１及び図３に示すように、中間部おいて屈曲形成され全体略Ｕ字状に形成され、その屈曲部１５が上記バッグ本体１３の一方のマチ部１６を跨ぐように配置されている。
【００２５】
上記持ち手１２の屈曲部１５は、図１及び図３に示すように、露呈した状態を維持しているが、上記屈曲部１５の両側の持ち手先端部は上記開口部２５から上記持ち手格納ポケット部１９内に挿入されている。
上記持ち手１２の幅寸法は上記開口部２５の幅寸法と略同一に形成され、持ち手１２の双方の後端部には上記幅寸法及び開口部２５の長さ寸法及び幅寸法よりも径大に形成されたストッパ部２６が設けられ、このストッパ部２６に付勢部材１４がそれぞれ固定されている。
【００２６】
即ち、上記持ち手１２を上記持ち手格納ポケット部１９内に没入させるために、図１〜図３に示すように、上記持ち手格納ポケット部１９内には伸縮可能な付勢部材１４が備えられている。  
【００２７】
上記持ち手１２は、上記付勢部材１４としての上記ゴムを使用したテープ状部材２０により、常時、バッグ本体１３の上記持ち手格納ポケット部１９内へ引き込まれるように付勢されている。
【００２８】
上記付勢部材１４としては、図１及び図３に示すように、伸縮ゴムを使用したテープ状部材２０が用いられている。上記テープ状部材２０は主な素材が布で、その一部にゴム糸が含有されて、全体的に伸縮自在に構成されている。しかしながら、テープ状部材２０の全体をゴムだけで形成することも可能である。
【００２９】
従って、上記持ち手１２を上記付勢部材１４の付勢力に抗して開口部２５から引き出した際には、上記ストッパ部２６が上記開口部２５の内方部位に係合することにより持ち手１２の引き出しが停止し、この状態で引き手１２を開口部２５内方に固定して、固定された持ち手１２として使用できるように構成されている。
その結果、持ち手１２を下記の付勢部材１４の付勢力に抗して引き出しきった場合には、上記持ち手１２が付けられたポーチ１１として、持ち手を手で把持して使用できるものである。
【００３０】
本実施例に係るバッグ１１を、上記持ち手１２を使用して携帯する場合は、上記持ち手１２の中央屈曲部１５を手のひらで把持して上記付勢部材１４の付勢力に抗して、外方へ引っ張ることにより、図１に示すように、バッグ本体１３の一方のマチ部１６の外方へ突出させる。
このとき、上記付勢部材１４としての上記ゴムを使用したテープ状部材２０は伸長することになる。
【００３１】
また、上記持ち手１２を使用せずに携帯する場合は、上記持ち手１２が突出したままの状態では邪魔になるので、その持ち手１２をバッグ本体１３内に没入させる。
【００３２】
そして、上記持ち手１２をバッグ本体１３内に没入させるには、上記持ち手１２から手を離すだけでよい。
【００３３】
上記持ち手１２は上記付勢部材１４としての上記ゴムを使用したテープ状部材２０により付勢されていることから、即時に、バッグ本体１３の上記持ち手格納ポケット部１９内へ引き込まれて収納される。従って、上記持ち手１２をバッグ本体１３内に没入させる場合は、なんら手動操作を必要としない。
【産業上の利用可能性】
【００３４】
本考案は、持ち手を備えたすべてのバッグに適用可能である。
【図面の簡単な説明】
【００３５】
【図１】持ち手がバッグ本体から突出した状態の一部切断斜視図である。
【図２】図１のＡ−Ａ線における断面図である。
【図３】持ち手がバッグ本体内に没入した状態の一部切断斜視図である。
【符号の説明】
【００３６】
１１  バッグ
１２  持ち手
１３  バッグ本体
１４  付勢部材
１５  屈曲部
１６  マチ部
１７  前胴部
１８  後胴部
１９  持ち手格納ポケット部
２０  ゴムを使用したテープ状部材
２１  底部
２２  上面部
２３  マチ部
２４  スライドファスナー
２５  開口部
２６  ストッパ部